(57)【要約】【課題】連結ダクトへの液体浸入や結露がある場合でも安定して気体発振する純流体素子及びそれを用いた手乾燥装置を提供することを目的とする。【解決手段】気体流入口１２、連結ダクト１３、気体吹出し部１４、気体流入口１２から気体吹出し部１４を連通する主流路１５で構成される純流体素子１１において、連結ダクト１３に液体抑制手段を設けることで、連結ダクト１３の通風可能な断面積が変化することを防ぐことができ、安定した振動数で気体を発振する純流体素子１１とすることができる。【選択図】図１
2010183939.tif 000002
【特許請求の範囲】
【請求項１】
気体を流入させる気体流入口と、気体を吹出す気体吹出し部と、前記気体流入口から前記気体吹出し部を連通する主流路と、この主流路の両側から各々外側に分岐した流路を、前記主流路外で連結する連結ダクトを備え、前記気体吹出し部の圧力差により前記連結ダクト内の気体を駆動し、その結果圧力差が反転し、再び気体が駆動されることで発振する純流体素子において、前記連結ダクト内の液体により気体の発振が妨げられることを抑制する液体抑制手段を設けたことを特徴とする純流体素子。
【請求項２】
液体抑制手段が、連結ダクトに溜まった液体を除去する液体除去手段であることを特徴とする請求項１に記載の純流体素子。
【請求項３】
液体除去手段が、連結ダクトを取り外せる構成としたことを特徴とする請求項２に記載の純流体素子。
【請求項４】
液体除去手段が連結ダクトの液体貯留箇所を、開閉できる構成としたことを特徴とする請求項２に記載の純流体素子。
【請求項５】
液体抑制手段が、前記連結ダクトに液体貯留防止手段を設けたことであることを特徴とする請求項１に記載の純流体素子。
【請求項６】
液体貯留防止手段が連結ダクトの液体貯留箇所に、透水性の素材を用いたことであることを特徴とする請求項５に記載の純流体素子。
【請求項７】
液体貯留防止手段が連結ダクトの液体貯留箇所に、気化部材を用いたことであることを特徴とする請求５に記載の純流体素子。
【請求項８】
液体貯留防止手段が連結ダクトの液体貯留箇所に、細孔を設けたことを特徴とする請求項５に記載の純流体素子。
【請求項９】
液体抑制手段が、液体浸入防止手段を設けたことを特徴とする請求項１に記載の純流体素子。
【請求項１０】
液体浸入防止手段が、気体流入口から気体吹出し部を連通する主流路と連結ダクトの接続箇所に設けられたことを特徴とする請求項９に記載の純流体素子。
【請求項１１】
液体浸入防止手段が撥水性で、開口を有する網目状のシートであることを特徴とする請求項１０に記載の純流体素子。
【請求項１２】
網目状のシートが、開口の大きさ、配置が均一であることを特徴とする請求項１１に記載の純流体素子。
【請求項１３】
液体浸入防止手段が、気体吹出し部に設けられたことを特徴とする請求項９に記載の純流体素子。
【請求項１４】
液体浸入防止手段が、気体吹出し部に開閉可能な蓋を設け、気体が吹出すときのみ蓋が開く構成としたことを特徴とする請求項１３に記載の純流体素子。
【請求項１５】
気体吹出し部に開閉可能に設けた蓋が、気体が吹出す力で蓋が開く構成としたことを特徴とする請求項１４に記載の純流体素子。
【請求項１６】
手を挿入する手挿入部と、前記手に風を吹出す吹出しノズルと、前記吹出しノズルに風を導入する送風手段と、前記吹出しノズルから吹出された風によって手に付着した水などを乾燥する手乾燥装置において、前記吹出しノズルに請求項１乃至１５いずれかに記載の純流体素子を用いたことを特徴とする手乾燥装置。
【請求項１７】
送風手段の近傍に純流体素子の連結ダクトを配置したことを特徴とする請求項１６に記載の手乾燥装置。
【請求項１８】
手を挿入する手挿入部と、前記手に風を吹出す吹出しノズルと、前記吹出しノズルに風を導入する送風手段と、風の温度を上げるための空気加熱手段と、前記吹出しノズルから吹出された風によって手に付着した水などを乾燥する手乾燥装置において、前記空気加熱手段により純流体素子の連結ダクトの周囲の空気温度を上げることを特徴とする請求項１６または１７に記載の手乾燥装置。
【請求項１９】
純流体素子の連結ダクトの壁面を凹凸構造としたことを特徴とする請求項１７または１８に記載の手乾燥装置。
【発明の詳細な説明】
【技術分野】
【０００１】
本発明は、気体を発振させる純流体素子とそれを用いた手乾燥装置に関するものである。
【背景技術】
【０００２】
従来、この種の純流体素子は、気体流入口、連結ダクト、気体吹出し部、前記気体流入口から前記気体吹出し部を連通する主流路で構成され、前記気体吹出し部の圧力差により前記連結ダクト内の気体を駆動し、その結果圧力差が反転し、再び気体が駆動されることで発振するものが知られている。
【０００３】
以下、その純流体素子の一例について図を参照しながら説明する。
【０００４】
従来の純流体素子の一例を図７に示す。すなわち、純流体素子は図７に示すように扇状に拡大するディフューザー１０１でスリット状の吹出口１０２を形成し、該ディフューザー１０１の狭部入口１０３に流体を吹き出すフロート吹出口１０４を配設し、さらに該ディフューザー１０１の狭部入口１０３とフロート吹出口１０４の接続部に連結ダクト１０５の両端開口部１０６、１０７を配設し、ディフューザー１０１の拡大部の途中に円柱又は角柱のスプリッター１０８を備えた構成となっている。
【特許文献１】特開平８―１４５４５０号公報
【発明の開示】
【発明が解決しようとする課題】
【０００５】
このような従来の純流体素子では、空調機やエアシャワー装置、手乾燥装置などの吹出し口への使用が考えられるが、空調機やエアシャワー装置、手乾燥装置などを清掃する際や結露により純流体素子の連結ダクトに液体が溜まると、連結ダクトの気体が占有する断面積が変化してしまい、気体の発振振動数が変化、あるいは発振しなくなってしまい、設計どおりの気体発振による気体拡散効果や水滴や粉塵の除去効果が得られないという課題があった。
【０００６】
本発明は、このような課題を解決するものであり、純流体素子の清掃時の連結ダクトへの液体浸入や結露がある場合でも安定して設計どおりの気体発振による気体拡散効果や水滴や粉塵の除去効果が得られる純流体素子及びそれを用いた手乾燥装置を提供することを目的としている。
【課題を解決するための手段】
【０００７】
本発明の純流体素子及びそれを用いた手乾燥装置は上記目的を達成するために、気体流入口、連結ダクト、気体吹出し部、前記気体流入口から前記気体吹出し部を連通する主流路で構成され、前記気体吹出し部の圧力差により前記連結ダクト内の気体を駆動し、その結果圧力差が反転し、再び気体が駆動されることで発振する純流体素子において、前記連結ダクトに液体抑制手段を設けたことを特徴とする純流体素子及びそれを吹出しノズルに用いた手乾燥装置である。
【発明の効果】
【０００８】
本発明によれば、純流体素子の清掃時の連結ダクトへの液体浸入や結露がある場合でも安定して設計どおりの気体発振による気体拡散効果や水滴や粉塵の除去効果が得られる純流体素子及びそれを用いた手乾燥装置を提供するものである。
【発明を実施するための最良の形態】
【０００９】
本発明の請求項１記載の発明は、気体を流入させる気体流入口と、気体を吹出す気体吹出し部と、前記気体流入口から前記気体吹出し部を連通する主流路と、この主流路の両側から各々外側に分岐した流路を、前記主流路外で連結する連結ダクトを備え、前記気体吹出し部の圧力差により前記連結ダクト内の気体を駆動し、その結果圧力差が反転し、再び気体が駆動されることで発振する純流体素子において、前記連結ダクト内の液体により気体の発振が妨げられることを抑制する液体抑制手段を設けたことを特徴とする純流体素子である。純流体素子を清掃する際に水などの液体を使用することで連結ダクト内に水などの液体が入る、あるいは温度差で連結ダクト内に結露水が溜まるなどして、連結ダクトの通風可能な断面積が変化することを防ぐことができるため、安定した振動数で気体を発振することができ、安定して設計どおりの気体発振による気体拡散効果や水滴や粉塵の除去効果を得ることができる。
【００１０】
また、液体抑制手段が、連結ダクトに溜まった液体を除去する液体除去手段であることを特徴とするもので、連結ダクトに液体が溜まった状態を防止できるため、安定した振動数で気体を発振することができ、安定して設計どおりの気体発振による気体拡散効果や水滴や粉塵の除去効果を得ることができる。
【００１１】
また、液体除去手段が、連結ダクトを取り外せる構成としたことを特徴とするもので、液体が溜まった際に連結ダクトを取り外して、連結ダクト内に溜まった液体を取り出すことができるため、安定した振動数で気体を発振することができ、安定して設計どおりの気体発振による気体拡散効果や水滴や粉塵の除去効果を得ることができる。
【００１２】
また、液体除去手段が連結ダクトの液体貯留箇所を、開閉できる構成としたことを特徴とするもので、連結ダクトの液体貯留箇所を、液体が溜まったさいに開くことで液体を連結ダクトより除去できるため、安定した振動数で気体を発振することができ、安定して設計どおりの気体発振による気体拡散効果や水滴や粉塵の除去効果を得ることができる。
【００１３】
また、液体抑制手段が、前記連結ダクトに液体貯留防止手段を設けたことであることを特徴とするもので、液体が溜まった際に連結ダクトに設けられた液体除去手段により、連結ダクト内に溜まった液体を除去することができるため、安定した振動数で気体を発振することができ、安定して設計どおりの気体発振による気体拡散効果や水滴や粉塵の除去効果を得ることができる。
【００１４】
また、液体貯留防止手段が連結ダクトの液体貯留箇所に、透水性の素材を用いたことであることを特徴とするもので、連結ダクトの液体貯留箇所に用いられた透水性の素材の部分から、連結ダクト内に溜まった液体を連結ダクトの外側に出すことができるため、安定した振動数で気体を発振することができ、安定して設計どおりの気体発振による気体拡散効果や水滴や粉塵の除去効果を得ることができる。
【００１５】
また、液体貯留防止手段が連結ダクトの液体貯留箇所に、気化部材を用いたことであることを特徴とするもので、連結ダクトの液体貯留箇所に用いられた気化部材に保持された後、連結ダクトの外側で気化することで、連結ダクト内に溜まった液体を除去することができるため、安定した振動数で気体を発振することができ、安定して設計どおりの気体発振による気体拡散効果や水滴や粉塵の除去効果を得ることができる。
【００１６】
また、液体貯留防止手段が連結ダクトの液体貯留箇所に、細孔を設けたことを特徴とするもので、連結ダクトの液体貯留箇所に細孔を設けることで、液体が細孔から連結ダクトの外へ排出されるため、安定した振動数で気体を発振することができ、安定して設計どおりの気体発振による気体拡散効果や水滴や粉塵の除去効果を得ることができる。
【００１７】
また、液体抑制手段が、液体浸入防止手段を設けたことを特徴とするもので、連結ダクトに液体が浸入することを防ぐことができるため、連結ダクト内に液体が溜まることがなく、安定した振動数で気体を発振することができ、安定して設計どおりの気体発振による気体拡散効果や水滴や粉塵の除去効果を得ることができる。
【００１８】
また、液体浸入防止手段が、気体流入口から気体吹出し部を連通する主流路と連結ダクトの接続箇所に設けられたことを特徴とするもので、気体流入口から気体吹出し部を連通する主流路と連結ダクトの接続箇所に、液体浸入防止手段を設けることで、連結ダクトに液体が浸入することを防ぐことができるため、連結ダクト内に液体が溜まることがなく、安定した振動数で気体を発振することができ、安定して設計どおりの気体発振による気体拡散効果や水滴や粉塵の除去効果を得ることができる。
【００１９】
また、液体浸入防止手段が撥水性で、開口を有する網目状のシートであることを特徴とするもので、液体浸入防止手段が撥水性で、開口を有する網目状のシートであることで、撥水性であることで水などをはじくため効果的に連結ダクトへの液体の浸入を防ぐことができる。また、開口を有する網目状のシートであれば通風抵抗が少なくてすむため、気体の発振を阻害せず、連結ダクトへの液体の浸入を防ぐことができ、安定して設計どおりの気体発振による気体拡散効果や水滴や粉塵の除去効果を得ることができる。
【００２０】
また、網目状のシートが、開口の大きさ、配置が均一であることを特徴とするもので、網目状のシートの開口の大きさ、配置が均一であれば、連結ダクトより供給される、気体流入口から気体吹出し部を連通する主流路を流れる気体を発振させるための圧力変動の力が、気体流入口から気体吹出し部を連通する主流路を流れる気体にムラなく均一に供給できるため、安定して気体を発振することができ、安定して設計どおりの気体発振による気体拡散効果や水滴や粉塵の除去効果を得ることができる。
【００２１】
また、液体浸入防止手段が、気体吹出し部に設けられたことを特徴とするもので、純流体素子の清掃などの際に気体吹出し部から液体が浸入することを防ぐことができるため、連結ダクト内に液体が溜まることがなく、安定した振動数で気体を発振することができ、安定して設計どおりの気体発振による気体拡散効果や水滴や粉塵の除去効果を得ることができる。
【００２２】
また、液体浸入防止手段が、気体吹出し部に開閉可能な蓋を設け、気体が吹出すときのみ蓋が開く構成としたことを特徴とするもので、気体吹出し部に開閉可能な蓋を設け、気体が吹出すときのみ蓋が開く構成とすることで、気体が流れているときは気体の力で液体の気体吹出し部への浸入を防ぎ、気体が流れていないときには蓋により気体吹出し部への液体の浸入を防ぐことができるため、連結ダクトに液体が浸入することがなく、安定した振動数で気体を発振することができ、安定して設計どおりの気体発振による気体拡散効果や水滴や粉塵の除去効果を得ることができる。
【００２３】
また、気体吹出し部に開閉可能に設けた蓋が、気体が吹出す力で蓋が開く構成としたことを特徴とするもので、気体吹出し部に開閉可能に設けた蓋が、気体が吹出す力で蓋が開く構成であれば、気体が吹出す力以外に特別な蓋を開く手段が不要であるため、装置を小型化できる。
【００２４】
また、手を挿入する手挿入部と、前記手に風を吹出す吹出しノズルと、前記吹出しノズルに風を導入する送風手段と、前記吹出しノズルから吹出された風によって手に付着した水などを乾燥する手乾燥装置において、前記吹出しノズルに請求項１乃至１５いずれかに記載の純流体素子を用いたことを特徴とするもので、手乾燥時や手乾燥装置の清掃時に、水などが吹出しノズルに設けられた純流体素子の連結ダクトに入り込むことがないため、気体発振による効率のよい手乾燥を安定してできる手乾燥装置とすることができる。
【００２５】
また、送風手段の近傍に純流体素子の連結ダクトを配置したことを特徴とするもので、送風手段の稼動時に発する熱により、吹出しノズルに設けられた純流体素子の連結ダクトを加熱することができるため、結露などで連結ダクト内に溜まった水を除去することができ、気体発振による効率のよい手乾燥を安定してできる手乾燥装置とすることができる。
【００２６】
また、手を挿入する手挿入部と、前記手に風を吹出す吹出しノズルと、前記吹出しノズルに風を導入する送風手段と、風の温度を上げるための空気加熱手段と、前記吹出しノズルから吹出された風によって手に付着した水などを乾燥する手乾燥装置において、前記空気加熱手段により純流体素子の連結ダクトの周囲の空気温度を上げることを特徴とするもので、空気加熱手段により純流体素子の連結ダクトの周囲の空気温度を上げることで、結露などで連結ダクト内に溜まった水を除去することができ、気体発振による効率のよい手乾燥を安定してできる手乾燥装置とすることができる。
【００２７】
また、純流体素子の連結ダクトの壁面を凹凸構造としたことを特徴とするもので、純流体素子の連結ダクトの壁面を凹凸構造としたことで、連結ダクトの表面積が大きくできるため、連結ダクトの熱交換効率を高めることができ、空気加熱手段などで純流体素子の連結ダクトの周囲の空気温度を上げた際に、結露などで連結ダクト内に溜まった水を効率よく除去することができ、気体発振による効率のよい手乾燥を安定してできる手乾燥装置とすることができる。
【００２８】
以下、本発明の実施の形態について図面を参照しながら説明する。
【００２９】
（実施の形態１）
図１に純流体素子の断面斜視図の一例を示す。
【００３０】
図１に示すように、純流体素子１１は、気体流入口１２、連結ダクト１３、気体吹出し部１４、気体流入口１２から気体吹出し部１４を連通する主流路１５で構成され、気体吹出し部１４の圧力差により連結ダクト１３内の気体を駆動し、その結果圧力差が反転し、再び気体が駆動されることで発振するもので、連結ダクト１３の液体貯留箇所に液体抑制手段の一つである液体貯留防止手段として透水性素材１６を設けた構成となっている。
【００３１】
上記構成において、気体流入口１２より流入した気体は、主流路１５を通り、気体吹出し部１４より純流体素子１１の外部へと流出する。このとき、純流体素子１１を流れる気体は、気体吹出し部１４に圧力差を誘発し、気体吹出し部１４の圧力差により連結ダクト１３内の気体が駆動され、その結果連結ダクト１３内の圧力差が反転し、再び連結ダクト１３内の気体が駆動されることで発振するものである。
【００３２】
このとき、清掃や結露により液体が連結ダクト１３内に入り込むことで、連結ダクト１３内の通風可能な断面積が変化するため、連結ダクト１３内で駆動される気体が受ける抵抗が変化し、結果として発振振動数が変化、もしくは発振しなくなる。
【００３３】
本実施の形態１では、連結ダクト１３の液体貯留箇所に用いられた透水性素材１６の部分から、連結ダクト１３内に溜まった液体を連結ダクト１３の外側に出すことができるため、安定した振動数で気体を発振することができ、安定して設計どおりの気体発振による気体拡散効果や水滴や粉塵の除去効果を得ることができる。透水性の素材としては、ポリエステルなどの樹脂や、天然繊維で構成される編地や織物、空隙を有するシートなど既知のものを使用することができる。
【００３４】
また、図２に純流体素子の断面図の一例を示すように、連結ダクト１３は液体抑制手段の一つである液体除去手段として、円筒接続部２１にチューブ２２が着脱自在に取り付けてなる構成となっており、チューブ２２を容易に円筒接続部２１から取り外すことができるため、液体が溜まった際にチューブ２２を取り外して、連結ダクト１３内に溜まった液体を取り出すことができるため、安定した振動数で気体を発振することができ、安定して設計どおりの気体発振による気体拡散効果や水滴や粉塵の除去効果を得ることができる。
【００３５】
なお、ここでは一例としてチューブ２２と取り付ける形状として円筒接続部２１としたが、形状としてはとくにこれに限られたものではなく、チューブが取り付けられる形状であれば他の形状でも問題ない。
【００３６】
（実施の形態２）
図３に純流体素子の断面斜視図の一例を示す。
【００３７】
本実施の形態では、実施の形態１で設けた透水性素材１６の代わりに、気化部材３６を設けている。
【００３８】
図３に示すように、純流体素子３１は、気体流入口３２、連結ダクト３３、気体吹出し部３４、気体流入口３２から気体吹出し部３４を連通する主流路３５で構成され、気体吹出し部３４の圧力差により連結ダクト３３内の気体を駆動し、その結果圧力差が反転し、再び気体が駆動されることで発振するもので、連結ダクト３３の液体貯留箇所に液体抑制手段の一つである液体貯留防止手段としての気化部材３６を設けた構成となっている。
【００３９】
上記構成において、連結ダクト３３の液体は液体貯留箇所に用いられた気化部材３６に保持された後、連結ダクト３３の外側で気化することで、連結ダクト３３内に溜まった液体を除去することができるため、安定した振動数で気体を発振することができ、安定して設計どおりの気体発振による気体拡散効果や水滴や粉塵の除去効果を得ることができる。気化部材３６としては不織布など既知のものを使用することができる。
【００４０】
また、連結ダクト３３に液体抑制手段の一つである、液体浸入防止手段としての撥水性で開口を有する網目状シート３７が気体流入口３２から気体吹出し部３４を連通する主流路３５と連結ダクト３３の接続箇所に設けられており、撥水性であることで水などをはじくため効果的に連結ダクト３３への液体の浸入を防ぐことができる。撥水性の網目状シートの材質としては、天然繊維、樹脂繊維、金属繊維などの基材に疎水化処理を施したものや、疎水性のフィラーを繊維に練り込んだものなどが挙げられる。疎水化処理としては、フッ素樹脂系高分子化合物、シリコン樹脂系高分子化合物、脂質、アルキルシランなどの処理液を使用する既知の方法を使用することができる。
【００４１】
また、開口を有する網目状のシートであれば通風抵抗が少なくてすむため、気体の発振を阻害せず、連結ダクト３３への液体の浸入を防ぐことができ、安定して設計どおりの気体発振による気体拡散効果や水滴や粉塵の除去効果を得ることができる。
【００４２】
このとき、網目状のシートの、開口の大きさ、配置は均一であることが望ましく、網目状のシートの開口の大きさ、配置が均一であれば、連結ダクト３３より供給される、気体流入口３２から気体吹出し部３４を連通する主流路３５を流れる気体を発振させるための圧力変動の力が、気体流入口３２から気体吹出し部３４を連通する主流路３５を流れる気体にムラなく均一に供給できるため、安定して気体を発振することができ、安定して設計どおりの気体発振による気体拡散効果や水滴や粉塵の除去効果を得ることができる。
【００４３】
（実施の形態３）
図４に純流体素子の断面図の一例を示す。
【００４４】
本実施の形態では、実施の形態１で説明した透水性素材１６や実施の形態２で説明した気化部材３６の代わりに、着脱自在に栓４４を設けている。
【００４５】
図４に示すように、純流体素子４１は、連結ダクト４２に液体抑制手段として、液体貯留箇所に液体除去手段の一つである液体貯留箇所を開閉できるように液体貯留箇所隣接壁４３を肉厚とし、液体貯留箇所隣接壁４３に着脱自在に栓４４を備えた構成となっている。
【００４６】
上記構成において、連結ダクト４２の液体貯留箇所を、液体が溜まった際に開くことで液体を連結ダクト４２より除去できるため、安定した振動数で気体を発振することができ、安定して設計どおりの気体発振による気体拡散効果や水滴や粉塵の除去効果を得ることができる。
【００４７】
なお、ここでは一例として液体貯留箇所を開閉できる構成として栓４４を挙げたが、特にこれに限定されるものではなく、開閉可能な機構であれば他の機構でも問題ない。
【００４８】
（実施の形態４）
図５に純流体素子の断面斜視図の一例を示す。
【００４９】
本実施の形態では、液体貯留防止手段として実施の形態１〜３で説明した透水性素材１６、気化部材３６、栓４４の代わりに、細孔５６を設けており、さらに液体浸入防止手段として開閉可能な蓋５７を設けている。
【００５０】
図５に示すように、純流体素子５１は、気体流入口５２、連結ダクト５３、気体吹出し部５４、気体流入口５２から気体吹出し部５４を連通する主流路５５で構成され、気体吹出し部５４の圧力差により連結ダクト５３内の気体を駆動し、その結果圧力差が反転し、再び気体が駆動されることで発振するもので、連結ダクト５３の液体貯留箇所に液体抑制手段の一つである液体貯留防止手段としての細孔５６を連結ダクト５３に設けた構成となっている。
【００５１】
上記構成において、連結ダクト５３の液体貯留箇所に細孔５６を設けることで、液体が細孔５６から連結ダクト５３の外へ排出されるため、安定した振動数で気体を発振することができ、安定して設計どおりの気体発振による気体拡散効果や水滴や粉塵の除去効果を得ることができる。細孔の大きさとしては液体が通過できる大きさであればよい。
【００５２】
また、純流体素子５１は、連結ダクト５３に液体抑制手段として、気体吹出し部５４に液体浸入防止手段の一つである開閉可能な蓋５７を備えた構成となっており、開閉可能な蓋５７は、回転軸５８で支えられ、回転軸５８を中心として回転することで蓋の開閉ができる機構となっている。
【００５３】
このとき、開閉可能な蓋５７はバネ５９により開閉可能な蓋５７が閉じる方向に常に力が加わるようバネが備えられており、気体が流れていないときには開閉可能な蓋５７が閉じた状態となる。また、気体が流れたときには、気体の流れる力により開閉可能な蓋５７が開く構成となっている。
【００５４】
このように、気体吹出し部５４に開閉可能な蓋５７を設け、気体が吹出すときのみ蓋が開く構成とすることで、気体が流れているときは気体の力で液体の気体吹出し部５４への浸入を防ぎ、気体が流れていないときには蓋により気体吹出し部５４への液体の浸入を防ぐことができるため、連結ダクト５３に液体が浸入することがなく、安定した振動数で気体を発振することができ、安定して設計どおりの気体発振による気体拡散効果や水滴や粉塵の除去効果を得ることができる。
【００５５】
また、気体吹出し部５４に開閉可能に設けた蓋５７が、気体が吹出す力で開閉可能に設けた蓋５７が開く構成であれば、気体が吹出す力以外に特別な開閉可能に設けた蓋５７を開く手段が不要であるため、装置を小型化できる。
【００５６】
（実施の形態５）
図６に手乾燥装置の断面図の一例を示す。
【００５７】
図６に示すように、手乾燥装置６１は、手を挿入する手挿入部６２と、手に風を吹出す純流体素子を用いた吹出しノズル６３と、吹出しノズル６３に風を導入する送風手段としてのブロアー６４と、風の温度を上げるための空気加熱手段としてのヒーター６５で構成され、吹出しノズル６３から吹出された風によって手に付着した水などを乾燥するものである。
【００５８】
また、手乾燥装置６１の吹出しノズル６３の構成において、壁面を凹凸構造とした連結ダクト６６はブロアー６４とヒーター６５の近傍に配置される構成となっている。連結ダクト６６をブロアー６４とヒーター６５の近傍に配置することで、ブロアー６４の稼動時に発する熱や、ヒーター６５の熱により、連結ダクト６６を加熱することができるため、結露などで連結ダクト６６内に溜まった水を除去することができ、気体発振による効率のよい手乾燥を安定してできる手乾燥装置とすることができる。
【００５９】
さらに、連結ダクト６６の壁面を凹凸構造とすることで、連結ダクト６６の表面積が大きくできるため、連結ダクト６６の熱交換効率を高めることができ、結露などで連結ダクト内に溜まった水を効率よく除去することができる。
【産業上の利用可能性】
【００６０】
手に付着した水滴を吹き飛ばす手乾燥装置に適用でき、また、物体に付着した水滴や埃を噴流によって除去する用途にも適用できる。
【図面の簡単な説明】
【００６１】
【図１】実施の形態１の純流体素子の断面の斜視図
【図２】実施の形態１の純流体素子の断面を示す構成図
【図３】実施の形態２の純流体素子の断面の斜視図
【図４】実施の形態３の純流体素子の断面を示す構成図
【図５】実施の形態４の純流体素子の断面の斜視図
【図６】実施の形態５の手乾燥装置の断面を示す構成図
【図７】従来例の純流体素子の断面を示す構成図
【符号の説明】
【００６２】
１１    純流体素子
１２    気体流入口
１３    連結ダクト
１４    気体吹出し部
１５    主流路
１６    透水性素材
２１    円筒接続部
２２    チューブ
３１    純流体素子
３２    気体流入口
３３    連結ダクト
３４    気体吹出し部
３５    主流路
３６    気化部材
３７    網目状シート
４１    純流体素子
４２    連結ダクト
４３    液体貯留箇所隣接壁
４４    栓
５１    純流体素子
５２    気体流入口
５３    連結ダクト
５４    気体吹出し部
５５    主流路
５６    細孔
５７    開閉可能な蓋
５８    回転軸
５９    バネ
６１    手乾燥装置
６２    手挿入部
６３    吹出しノズル
６４    ブロアー
６５    ヒーター
６６    連結ダクト
１０１  ディフューザー
１０２  吹出口
１０３  狭部入口
１０４  フロート吹出口
１０５  連結ダクト
１０６、１０７  両端開口部
１０８  スプリッター
【図１】
2010183939.tif 000003
【図２】
2010183939.tif 000004
【図３】
2010183939.tif 000005
【図４】
2010183939.tif 000006
【図５】
2010183939.tif 000007
【図６】
2010183939.tif 000008
【図７】
2010183939.tif 000009